(57)【要約】【課題】磁気ヘッドとプラテンローラとの間のギャップを調整する際に確実に当該ギャップを所定値に設定することができるようにした磁気ヘッド装置を提供する。【解決手段】券体ＴＣへの磁気情報の書き込みや読み取りを行う磁気ヘッド２１と、磁気ヘッドにギャップＧをもって対設されるプラテンローラ３１とを備え、磁気ヘッドとプラテンローラとを接離可能に相対移動させて券体が通過する磁気ヘッドとプラテンローラとの間のギャップを調整する調整機構５が設けられている。磁気ヘッドとプラテンローラとが互いに当接する位置を起点とし、この起点から磁気ヘッドとプラテンローラとが離間する方向に相対移動させたときのストロークを測定可能なマイクロメータ８を有し、マイクロメータは、ベース１１に設けた支持フレーム７に着脱自在とする。【選択図】図２
2015011740.tif 000002
【特許請求の範囲】
【請求項１】
記録媒体への磁気情報の書き込みと記録媒体からの磁気情報の読み取りとの少なくとも一方を行う磁気ヘッドと、磁気ヘッドにギャップをもって対設されるプラテンローラとを備える磁気ヘッド装置であって、磁気ヘッドとプラテンローラとを接離可能に相対移動させて記録媒体が通過する磁気ヘッドとプラテンローラとの間のギャップを調整する調整機構が設けられるものにおいて、
磁気ヘッドとプラテンローラとが互いに当接する位置を起点とし、この起点から磁気ヘッドとプラテンローラとが離間する方向に相対移動させたときのストロークを測定可能なマイクロメータを有し、マイクロメータは、磁気ヘッドとプラテンローラとの少なくとも一方を支持するベースに設けた支持フレームに着脱自在としたことを特徴とする磁気ヘッド装置。
【発明の詳細な説明】
【技術分野】
【０００１】
本発明は、記録媒体への磁気情報の書き込みと記録媒体からの磁気情報の読み取りとの少なくとも一方を行う磁気ヘッドと、磁気ヘッドに対設されるプラテンローラとを備える磁気ヘッド装置に関する。
【背景技術】
【０００２】
駅等に設置される乗車券の発券装置には、記録媒体としてのエドモンソン券（以下、「券体」という）に磁気情報を書き込んだり、券体に書き込まれた磁気情報を読み取ったりするため、磁気ヘッド装置が組み込まれている。このような磁気ヘッド装置は例えば特許文献１で知られている。このものは、磁気ヘッドと、この磁気ヘッドにギャップをもって対設されるプラテンローラとを備える。そして、券体が磁気ヘッドとプラテンローラとの間を通過する間、券体がプラテンローラにより磁気ヘッドに押圧され、券体に磁気情報が書き込まれ、または、券体から磁気情報が読み取られる。
【０００３】
ここで、磁気ヘッドにより券体に磁気情報を精度よく書き込み、または、券体から磁気情報を精度よく読み取るには、磁気ヘッドとプラテンローラとの間のギャップを所定値に常時維持しておく必要がある。他方、磁気ヘッドや例えばゴム製のプラテンローラは券体を繰り返し搬送すると、摩耗する。磁気ヘッドやプラテンローラが摩耗すると、ギャップが変化するので、当該ギャップの再調整が必要となる。
【０００４】
この種の磁気ヘッド装置には、磁気ヘッドとプラテンローラとを接離可能に相対移動させて券体が通過する磁気ヘッドとプラテンローラとの間のギャップを調整する調整機構を設けることが一般的である。そして、この調整機構を作業者が直接取扱ってギャップの再調整が行われる。この場合、例えば、精度よく書き込みまたは読み取りが可能なギャップに相当する隙間ゲージを用い、この隙間ゲージを磁気ヘッドとプラテンローラとの間に挿入し、調整機構によりギャップが所定値に調整される。然し、隙間ゲージを用いた調整方法では、作業者の感覚に依るところが大きくなり、しかも、磁気ヘッドによる書き込みまたは読み取りにとって最適なギャップの範囲が極めて小さいため、書き込みまたは読み取りの精度にばらつきが生じ易いという問題がある。
【先行技術文献】
【特許文献】
【０００５】
【特許文献１】特開平９−１８０００４号公報
【発明の概要】
【発明が解決しようとする課題】
【０００６】
本発明は、以上の点に鑑み、磁気ヘッドとプラテンローラとの間のギャップを調整する際に確実に当該ギャップを所定値に設定することができるようにした磁気ヘッド装置を提供することをその課題とするものである。
【課題を解決するための手段】
【０００７】
上記課題を解決するために、記録媒体への磁気情報の書き込みと記録媒体からの磁気情報の読み取りとの少なくとも一方を行う磁気ヘッドと、磁気ヘッドにギャップをもって対設されるプラテンローラとを備える本発明の磁気ヘッド装置は、磁気ヘッドとプラテンローラとを接離可能に相対移動させて記録媒体が通過する磁気ヘッドとプラテンローラとの間のギャップを調整する調整機構が設けられ、磁気ヘッドとプラテンローラとが互いに当接する位置を起点とし、この起点から磁気ヘッドとプラテンローラとが離間する方向に相対移動させたときのストロークを測定可能なマイクロメータを有し、マイクロメータは、磁気ヘッドとプラテンローラとの少なくとも一方を支持するベースに設けた支持フレームに着脱自在としたことを特徴とする。
【０００８】
本発明によれば、磁気ヘッドにより精度よく磁気情報の書き込みまたは記録媒体からの磁気情報の読み取りができる磁気ヘッドとプラテンローラとの間のギャップを、磁気ヘッドとプラテンローラとが互いに当接する起点からのストロークに置き換え、これをマイクロメータを用いて数値化して管理される。常時は、マイクロメータを取り外しておき、記録媒体を繰り返し搬送することで、磁気ヘッドやプラテンローラが摩耗すると、ギャップを再調整する。このとき、支持フレームにマイクロメータを再度取り付けた後、磁気ヘッドとプラテンローラとが互いに再度当接させて起点に戻す。そして、上記ストロークを基に、磁気ヘッドとプラテンローラとが離間する方向に相対移動させれば、ギャップが再調整される。これにより、ギャップ調整の際に確実に当該ギャップを所定値に設定することができる。
【図面の簡単な説明】
【０００９】
【図１】本発明の実施形態の磁気ヘッド装置の配置を説明する模式正面図。
【図２】磁気ヘッド装置の構成を示す模式側面図。
【発明を実施するための形態】
【００１０】
以下、図面を参照して、記録媒体を券体（エドモンソン券）とし、駅等に設置される発券装置に組み込まれて券体に磁気情報を書き込み、券体に書き込まれた磁気情報を読み取る場合を例に本発明の磁気ヘッド装置の実施形態を説明する。以下において、上、下、左、右といった方向を示す用語は図１を基準とする。
【００１１】
図１及び図２を参照して、１１，１２は、図示省略の発券装置に組み込まれる磁気ヘッド装置であり、磁気ヘッド装置１１，１２は、夫々同一の構成を有し、券体ＴＣへの磁気情報の書き込みと券体ＴＣからの磁気情報の読み取りとを夫々行うことができる磁気ヘッド２１，２２と、磁気ヘッド２１，２２にギャップＧをもって夫々対設されるゴム製のプラテンローラ３１，３２とを備える。磁気ヘッド２１，２２については公知のものが利用できるため、ここでは、詳細な説明を省略する。また、図１中、４１，４２は、券体ＴＣを搬送するための上下一対の駆動ローラである。
【００１２】
磁気ヘッド装置として、図１中、左側に位置する磁気情報書き込み用のものを例に説明すると、磁気ヘッド装置１１は、鉛直方向に設置される（図２中、上下方向）ベースプレート１１を備え、ベースプレート１１の上部には、軸受３１を介してプラテンローラ３１の回転軸３２が片持ち支持されている。また、プラテンローラ３１の下方に位置させてベースプレート１１には、上下方向にのびるリニアガイド２１を介して磁気ヘッド２１が設けられている。そして、磁気ヘッド２１には、磁気ヘッド２１とプラテンローラ３１とを接離可能に相対移動させて券体ＴＣが通過する磁気ヘッド２１とプラテンローラ３１との間のギャップＧを調整する調整機構５が付設されている。  調整機構５は、磁気ヘッド２１に外挿したリング状の当接部材２２に連結されるカム部材５１と、カム部材５１の操作軸５２を回転させる操作摘み５３とで構成される。そして、操作摘み５３を一方に回転させると、カム部材５１により磁気ヘッド２１が押し上げられてプラテンローラ３１に近接するように上動する一方で、操作摘み５３を他方に回転させると、カム部材５２により磁気ヘッドが押し下げられてプラテンローラ３１から離間するように下動する。これにより、ギャップＧの調整が可能となる。調整機構５には、ギャップＧを調整した後、周り止め部材５４により操作軸５２が回り止めされ、調整したギャップＧが変化しないようにしている。
【００１３】
磁気ヘッド２１の下方に位置させてベースプレート１１には、正転または逆転可能なモータ６が取り付けられ、上下一対のプーリ―６１，６２及びこれらのプーリ―６１，６２に巻き掛けられたベルト６３を介して、プラテンローラ３１が所定の回転数で回転されるようになっている。そして、券体ＴＣが磁気ヘッド２１，２２とプラテンローラ３１，３２との間を通過する間、券体ＴＣがプラテンローラ３１，３２により磁気ヘッド２１，２２に押圧され、券体ＴＣに磁気情報が書き込まれ、または、券体ＴＣから磁気情報が読み取られる。
【００１４】
ここで、上記の如く、券体ＴＣを繰り返し搬送すると、磁気ヘッド２１，２２とプラテンローラ３１，３２とが摩耗し、これに伴い、ギャップＧが変化する。このため、ギャップＧの再調整が必要となるが、書き込みまたは読み取りの精度にばらつきが生じないようにギャップＧを調整できるように構成する必要がある。
【００１５】
そこで、本実施形態では、磁気ヘッド２１，２２の下方に位置させてベースプレート１１に、水平方向（図２中、左右方向）に長手の支持フレーム７を取り付け、この支持フレーム７の先端にマイクロメータ８を着脱自在に取り付けるようにした。マイクロメータ８としては公知のものが利用でき、マイクロメータ８のスピンドル８１が、その下端のラチェット８２を回転させると鉛直方向に上下動する姿勢で支持フレーム７に取り付けられる。また、磁気ヘッド２１，２２の先端（図２中、右端）には、スピンドル８１の上面が当接する水平面を備える基準部材２３が設けられている。そして、調整機構５により磁気ヘッド２１，２２を上動させ、磁気ヘッド２１，２２とプラテンローラ３１，３２とが互いに当接する位置を起点とし、磁気ヘッド２１，２２により精度よく磁気情報の書き込みまたは読み取りができる磁気ヘッド２１，２２とプラテンローラ３１，３２との間のギャップＧを、起点から磁気ヘッド２１，２２とプラテンローラ３１，３２とが離間する方向に相対移動させたときのストロークとして測定する。即ち、当該ギャップＧを上記起点からのストロークに置き換え、これをマイクロメータ８を用いて数値化して管理する。
【００１６】
常時は、マイクロメータ８を支持フレーム７から取り外しておき、ギャップＧを再調整する場合、支持フレーム７にマイクロメータ８を再度取り付けた後、磁気ヘッド２１，２２とプラテンローラ３１，３２とを互いに再度当接させて起点に戻す。そして、上記ストロークを基に、磁気ヘッド２１，２２とプラテンローラ３１，３２とが離間する方向に相対移動させてギャップＧを再調整する。以上によれば、ギャップＧ調整の際に確実に当該ギャップＧを所定値に設定することができる。
【００１７】
以上、本発明の実施形態について説明したが、本発明は上記に限定されるものではない。上記実施形態では、磁気ヘッド２１，２２をプラテンローラ３１，３２に対して上下動させて両者を相対移動するものを例に説明したが、例えば、プラテンローラ３１，３２を磁気ヘッド２１，２２に対して上下動させる場合にも本発明を適用することができる。また、上記実施形態では、支持フレーム７にマイクロメータ８を着脱自在に取り付けるものを例に説明したが、マイクロメータ８を同じ位置に設置できるものであれば、その構成は問わない。また、上記実施形態では、記録媒体としてエドモンソン券のような券体ＴＣを例に説明したが、磁気カード等の他の記録媒体に対しても本発明を適用することができる。
【符号の説明】
【００１８】
１１，１２…磁気ヘッド装置、１１…ベースプレート（ベース）、磁気ヘッド装置２１，２２…磁気ヘッド、３１，３２…プラテンローラ、５…調整機構、７…支持フレーム、８…マイクロメータ。
【図１】
2015011740.tif 000003
【図２】
2015011740.tif 000004